(57)【要約】【課題】装置に所定の処理を実行させる場合における、利便性を向上させること。【解決手段】表示部に表示される表示要素を指定するための操作を受付部が受け付けた場合、表示要素の状態は選択状態に設定される。表示要素の状態が選択状態に設定されたときからの経過時間に依存することなく、選択状態に設定された表示要素を指定するための操作を受付部が受け付けた場合、表示要素に予め対応づけられた所定の処理が実行される。【選択図】図５
2010141742.tif 000002
【特許請求の範囲】
【請求項１】
ユーザによる操作を受け付ける受付部と、
前記受付部が受け付ける操作により指定可能な表示要素を表示する表示部と、
前記表示要素を指定するための操作を前記受付部が受け付けた場合、前記表示要素の状態を、該表示要素が選択された状態である選択状態に設定する状態設定部と、
前記表示要素の状態が前記選択状態に設定されたときからの経過時間に依存することなく、前記選択状態に設定された前記表示要素を指定するための操作を前記受付部が受け付けた場合、前記表示要素に予め対応づけられた所定の処理を実行する実行部とを備える、
操作支援装置。
【請求項２】
前記表示部は、前記表示要素の状態が前記選択状態に設定された場合、前記表示要素の表示態様を変化させる、
請求項１に記載の操作支援装置。
【請求項３】
前記所定の処理は、画像のプレビューである、
請求項１または２に記載の操作支援装置。
【請求項４】
ユーザによる操作を受け付ける受付部と、前記受付部が受け付ける操作により指定可能な表示要素を表示する表示部とを備える操作支援装置が行なう操作支援方法であって、
前記表示要素を指定するための操作を前記受付部が受け付けた場合、前記表示要素の状態を、該表示要素が選択された状態である選択状態に設定する状態設定ステップと、
前記表示要素の状態が前記選択状態に設定されたときからの経過時間に依存することなく、前記選択状態に設定された前記表示要素を指定するための操作を前記受付部が受け付けた場合、前記表示要素に予め対応づけられた所定の処理を実行する実行ステップと
を備える、操作支援方法。
【請求項５】
ユーザによる操作を受け付ける受付部と、前記受付部が受け付ける操作により指定可能な表示要素を表示する表示部とを備えるコンピュータが行なう操作支援プログラムであって、
前記表示要素を指定するための操作を前記受付部が受け付けた場合、前記表示要素の状態を、該表示要素が選択された状態である選択状態に設定する状態設定ステップと、
前記表示要素の状態が前記選択状態に設定されたときからの経過時間に依存することなく、前記選択状態に設定された前記表示要素を指定するための操作を前記受付部が受け付けた場合、前記表示要素に予め対応づけられた所定の処理を実行する実行ステップと
をコンピュータに実行させるための操作支援プログラム。
【発明の詳細な説明】
【技術分野】
【０００１】
本発明は、操作支援装置、操作支援方法および操作支援プログラムに関し、特に、装置の操作を支援するための操作支援装置、操作支援方法および操作支援プログラムに関する。
【背景技術】
【０００２】
家電製品、業務用製品等の各種装置の多機能化が進んでいる。そのため、ユーザが、多くの機能を有する装置（以下、多機能装置という）を扱い易くするための様々な技術が開示されている。
【０００３】
例えば、特許文献１には、装置の有する機能毎に、該機能の内容を説明する情報を表示することにより、ユーザに当該装置を扱いやすくするための技術が開示されている。
【特許文献１】特開２００４−０２９２９２号公報
【発明の開示】
【発明が解決しようとする課題】
【０００４】
多機能装置に、ユーザが望む所定の処理を実行させる場合、例えば、所定時間（たとえば、１秒）以内に、所定ボタンを２回連続して押下するダブルクリックという操作をユーザに求める装置もある。このダブルクリック操作は、装置の扱いに不慣れなユーザにとっては、失敗する可能性もある。特許文献１には、このような問題を解決するための技術は開示されないない。
【０００５】
本発明は、上述の問題点を解決するためになされたものであって、その目的は、装置に所定の処理を実行させる場合における、利便性を向上させることを可能とする操作支援装置等を提供することである。
【課題を解決するための手段】
【０００６】
上述の課題を解決するために、この発明のある局面に従うと、ユーザによる操作を受け付ける受付部と、受付部が受け付ける操作により指定可能な表示要素を表示する表示部と、表示要素を指定するための操作を受付部が受け付けた場合、表示要素の状態を、該表示要素が選択された状態である選択状態に設定する状態設定部と、表示要素の状態が選択状態に設定されたときからの経過時間に依存することなく、選択状態に設定された表示要素を指定するための操作を受付部が受け付けた場合、表示要素に予め対応づけられた所定の処理を実行する実行部とを備える。
【０００７】
すなわち、表示部に表示される表示要素を指定するための操作を受付部が受け付けた場合、表示要素の状態は選択状態に設定される。表示要素の状態が選択状態に設定されたときからの経過時間に依存することなく、選択状態に設定された表示要素を指定するための操作を受付部が受け付けた場合、表示要素に予め対応づけられた所定の処理が実行される。
【０００８】
つまり、経過時間に依存することなく、表示要素を指定するための操作が２回あった場合、表示要素に予め対応づけられた所定の処理が実行される。そのため、ユーザは表示要素を指定するための操作を急いで行う必要がない。したがって、装置に所定の処理を実行させる場合における、利便性を向上させることができる。
【０００９】
この発明の他の局面に従う操作支援方法は、ユーザによる操作を受け付ける受付部と、前記受付部が受け付ける操作により指定可能な表示要素を表示する表示部とを備える操作支援装置が行なう。操作支援方法は、前記表示要素を指定するための操作を前記受付部が受け付けた場合、前記表示要素の状態を、該表示要素が選択された状態である選択状態に設定する状態設定ステップと、前記表示要素の状態が前記選択状態に設定されたときからの経過時間に依存することなく、前記選択状態に設定された前記表示要素を指定するための操作を前記受付部が受け付けた場合、前記表示要素に予め対応づけられた所定の処理を実行する実行ステップとを備える。
【００１０】
すなわち、表示部に表示される表示要素を指定するための操作を受付部が受け付けた場合、表示要素の状態は選択状態に設定される。表示要素の状態が選択状態に設定されたときからの経過時間に依存することなく、選択状態に設定された表示要素を指定するための操作を受付部が受け付けた場合、表示要素に予め対応づけられた所定の処理が実行される。
【００１１】
つまり、経過時間に依存することなく、表示要素を指定するための操作が２回あった場合、表示要素に予め対応づけられた所定の処理が実行される。そのため、ユーザは表示要素を指定するための操作を急いで行う必要がない。したがって、装置に所定の処理を実行させる場合における、利便性を向上させることができる。
【００１２】
この発明のさらに他の局面に従う操作支援プログラムは、ユーザによる操作を受け付ける受付部と、前記受付部が受け付ける操作により指定可能な表示要素を表示する表示部とを備えるコンピュータが行なうプログラムである。操作支援プログラムは、前記表示要素を指定するための操作を前記受付部が受け付けた場合、前記表示要素の状態を、該表示要素が選択された状態である選択状態に設定する状態設定ステップと、前記表示要素の状態が前記選択状態に設定されたときからの経過時間に依存することなく、前記選択状態に設定された前記表示要素を指定するための操作を前記受付部が受け付けた場合、前記表示要素に予め対応づけられた所定の処理を実行する実行ステップとをコンピュータに実行させるためのプログラムである。
【００１３】
すなわち、表示部に表示される表示要素を指定するための操作を受付部が受け付けた場合、表示要素の状態は選択状態に設定される。表示要素の状態が選択状態に設定されたときからの経過時間に依存することなく、選択状態に設定された表示要素を指定するための操作を受付部が受け付けた場合、表示要素に予め対応づけられた所定の処理が実行される。
【００１４】
つまり、経過時間に依存することなく、表示要素を指定するための操作が２回あった場合、表示要素に予め対応づけられた所定の処理が実行される。そのため、ユーザは表示要素を指定するための操作を急いで行う必要がない。したがって、装置に所定の処理を実行させる場合における、利便性を向上させることができる。
【発明の効果】
【００１５】
本発明により、装置に所定の処理を実行させる場合における、利便性を向上させることができる。
【発明を実施するための最良の形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１７】
＜第１の実施の形態＞
（システムの構成）
図１は、本実施の形態におけるネットワークシステム１０００の構成を示す図である。図１に示されるように、ネットワークシステム１０００は、画像形成装置１００と、端末装置２０１と、端末装置２０２と、ルーター６０とを含む。
【００１８】
画像形成装置１００は、ＭＦＰ（Multifunction Peripheral）である。画像形成装置１００は、ＦＡＸ機能、コピー機能、プリンタ機能、スキャナ機能等の複数の機能を有する。なお、画像形成装置１００は、ＭＦＰに限定されることなく、たとえば、ＦＡＸ機能、コピー機能、プリンタ機能の少なくとも１つの機能を有する装置であってもよい。
【００１９】
端末装置２０１および端末装置２０２は、ＰＣ（Personal Computer）である。
画像形成装置１００、端末装置２０１、端末装置２０２およびルーター６０は、ネットワーク２０に接続される。ネットワーク２０は、たとえば、ＬＡＮ（Local Area Network）である。
【００２０】
ルーター６０は、ネットワーク２０とインターネット７０とを接続する機能を有する。
端末装置２０１および端末装置２０２の各々は、ネットワーク２０を介して、画像形成装置１００とデータ通信を行なう。
【００２１】
なお、端末装置２０１および端末装置２０２の少なくとも一方は、ネットワークシステム１０００に含まれなくてもよい。また、端末装置２０１および端末装置２０２は、ネットワークシステム１０００に含まれなくてもよい。
【００２２】
また、画像形成装置１００は、ＰＳＴＮ（Public Switched Telephone Network：公衆交換電話網）４０を利用して、画像形成装置１０１とデータ通信を行なう。
【００２３】
画像形成装置１０１は、画像形成装置１００と同じ装置である。
【００２４】
（画像形成装置）
次に、画像形成装置１００について詳細に説明する。
【００２５】
図２は、画像形成装置１００内のハードウエア構成を示したブロック図である。なお、図２には、説明のために、記録媒体５０も示している。記録媒体５０には、後述するプログラム５１が記録されている。すなわち、プログラム５１は、媒体等に記録されてプログラム製品として流通される。また、記録媒体５０もプログラム製品として流通される。
【００２６】
図２に示されるように、画像形成装置１００は、制御部１１０と、ＲＡＭ（Random Access Memory）１２０と、記憶部１２２と、記憶媒体アクセス部１３０とを備える。制御部１１０、ＲＡＭ１２０、記憶部１２２および記憶媒体アクセス部１３０は、データバス１０２に接続されている。
【００２７】
制御部１１０は、ＣＰＵ（Central Processing Unit）である。なお、制御部１１０は、ＣＰＵに限定されることなく、演算機能を有するその他の回路であってもよい。
【００２８】
ＲＡＭ１２０は、揮発性のメモリである。ＲＡＭ１２０は、制御部１１０によってデータアクセスされる。ＲＡＭ１２０は、一時的にデータを記憶するワークメモリとしての機能を有する。
【００２９】
記憶部１２２は、不揮発性のメモリである。記憶部１２２は、たとえば、ハードディスクドライブである。なお、記憶部１２２は、ハードディスクドライブに限定されることなく、不揮発的のメモリであれば、その他のメモリ（たとえば、フラッシュメモリ）であってもよい。記憶部１２２は、制御部１１０によって、データアクセスされる。記憶部１２２には、プログラム５１、その他の各種データ等が記憶されている。
【００３０】
制御部１１０は、記憶部１２２に記憶されているプログラム５１を実行し、プログラム５１に基づいて、画像形成装置１００内の各部に対する各種処理や、演算処理等を行なう。
【００３１】
記憶媒体アクセス部１３０は、制御部１１０からの指示により、プログラム５１が記憶された記録媒体５０から、プログラム５１を読み出す機能を有する。記録媒体５０に記憶されているプログラム５１は、制御部１１０が行なうインストール処理により、記憶媒体アクセス部１３０により読み出され、記憶部１２２に記憶される。このインストール処理用プログラムは、予め、記憶部１２２に格納されている。インストール処理は、制御部１１０が、インストール処理用プログラムに基づいて行なう。
【００３２】
記録媒体５０は、ＳＤ（Secure Digital）メモリーカードである。なお、記録媒体５０は、ＳＤメモリーカードに限定されることなく、データを不揮発的に記録可能なその他の媒体であってもよい。
【００３３】
画像形成装置１００は、さらに、操作パネル部３００を備える。
操作パネル部３００は、データバス１０２に接続されている。操作パネル部３００は、表示部３１０と、入力部３２０とを有する。
【００３４】
図３は、操作パネル部３００の外観を示す図である。
表示部３１０は、文字や画像等を表示する機能を有する。表示部３１０には、文字や画像等を表示する表示面が設けられる。表示部３１０は、ＬＣＤパネル（Liquid Crystal Display Panel）を使用した装置である。なお、表示部３１０は、上記以外の表示方式のパネルを使用した装置であってもよい。
【００３５】
また、表示部３１０は、ユーザが、表示面に直接触れることで、情報入力可能なタッチパネル機能を有する。表示部３１０は、ユーザが表示面にタッチした位置情報を、制御部１１０へ送信する。制御部１１０は、受信した位置情報に基づいて、所定の処理を行なう。すなわち、表示部３１０は、ユーザが画像形成装置１００を操作するためのインターフェースである。
【００３６】
入力部３２０は、数字ボタン群３２２を含む。数字ボタン群３２２は、複数の数字ボタンを含む。数字ボタン群３２２に含まれる複数の数字ボタンの各々は、ユーザにより押下されることにより、数字を入力するためのボタンである。入力部３２０は、さらに、画像形成装置１００を操作するための複数のボタンを含む。
【００３７】
入力部３２０は、当該入力部３２０に含まれる複数のボタンのうち、ユーザにより押下操作されたボタンに対応するボタン信号を、制御部１１０へ送信する。制御部１１０は、受信したボタン信号に基づいて、所定の処理を行なう。すなわち、入力部３２０は、ユーザが画像形成装置１００を操作するためのインターフェースである。以下においては、ユーザによる、表示部３１０の表示面に対するタッチ操作または入力部３２０の操作を、インターフェース操作Ｍともいう。
【００３８】
再度、図２に示されるように、画像形成装置１００は、さらに、スキャナ部１５０と、印刷部１６０と、通信部１７０と、モデム１７２と、ＮＣＵ１７４とを備える。
【００３９】
スキャナ部１５０は、原稿を読み取ることにより画像を取得する機能を有する。原稿は、例えば、紙等の媒体である。以下においては、スキャナ部１５０が原稿を読み取ることにより画像を取得する処理を、原稿読取り処理という。
【００４０】
印刷部１６０は、紙等の媒体に、指示された画像または文字を印字してプリントアウトする機能（以下、印刷機能という）を有する。以下においては、印刷部１６０が、紙等の媒体に、画像または文字を印字してプリントアウトするための処理を印刷処理という。
【００４１】
通信部１７０は、有線技術または無線技術を利用して、ネットワーク２０に接続される装置とデータ通信を行なう機能を有する。有線技術は、たとえば、イーサネット（登録商標）に基づく技術である。なお、有線技術は、イーサネット（登録商標）に基づく技術に限定されることなく、その他の有線技術であってもよい。
【００４２】
無線技術は、たとえば、ＩＥＥＥ８０２．１１ｇに基づく技術である。なお、無線技術は、ＩＥＥＥ８０２．１１ｇに基づく技術に限定されることなく、その他の無線技術であってもよい。
【００４３】
モデム１７２は、ファクシミリ送信される画像データを変調したり、外部からファクシミリ送信されてきた画像データを復調する機能を有する。
【００４４】
ＮＣＵ１７４は、ＰＳＴＮ４０と接続される回線終端装置である。
【００４５】
（操作対応処理）
次に、ユーザの操作により行なわれる処理（以下、操作対応処理という）について説明する。ここで、画像形成装置１００の表示部３１０は、以下の選択画像４０１を表示しているとする。
【００４６】
図４は、一例としての選択画像４０１を示す図である。図４に示されるように、選択画像４０１には、ボタン画像４１１，４１２，４１３，４１４，４１５，４１６が配置される。ボタン画像４１１，４１２，４１３，４１４，４１５，４１６の各々には、スキャナ部１５０により原稿が読み取られることにより得られた画像を縮小した画像（以下、縮小画像という）が配置される。
【００４７】
ボタン画像４１１，４１２，４１３，４１４，４１５，４１６の各々には、所定の処理が予め対応づけられる。ここで、所定の処理は、一例として、プレビュー処理である。プレビュー処理は、前述した縮小画像を、拡大した画像を表示する処理である。ボタン画像４１１，４１２，４１３，４１４，４１５，４１６の各々は、押下処理されることにより、当該ボタン画像の状態が選択状態に設定される。
【００４８】
ボタン画像４１１，４１２，４１３，４１４，４１５，４１６の各々の状態が選択状態であるときに、当該ボタン画像が押下処理されると、前述のプレビュー処理が画像形成装置１００により行なわれる。すなわち、ボタン画像４１１，４１２，４１３，４１４，４１５，４１６の各々は、経過時間に依存することなく、２回、押下処理されることにより、プレビュー処理を、画像形成装置１００に実行させるためのボタン画像である。
【００４９】
なお、ボタン画像４１１，４１２，４１３，４１４，４１５，４１６の各々に対応づけられる所定の処理は、ユーザにより設定されてもよい。
【００５０】
図５は、操作対応処理のフローチャートである。
ステップＳ１１１では、制御部１１０が、選択操作があるか否かを判定する。ここで、選択操作は、図４のボタン画像４１１，４１２，４１３，４１４，４１５，４１６のいずれかを押下処理するためのインターフェース操作Ｍであるとする。ステップＳ１１１において、ＹＥＳならば、処理はステップＳ１１２に移行する。一方、ステップＳ１１１において、ＮＯならば、再度、ステップＳ１１１の処理が行なわれる。ここでは、選択操作があったとする。
【００５１】
ステップＳ１１２では、選択状態設定処理が行なわれる。選択状態設定処理では、制御部１１０が、選択操作により指定されたボタン画像の状態を選択状態に設定し、当該ボタン画像の表示態様を変化させた選択画像を生成する。そして、制御部１１０は、生成した選択画像を表示部３１０に表示させるための処理を行なう。
【００５２】
ここで、選択操作により指定されたボタン画像は、ボタン画像４１２であるとする。この場合、生成される選択画像は、以下の選択画像４０２であるとする。
【００５３】
図６は、一例としての選択画像４０２を示す図である。図６に示されるように、選択画像４０２は、図４の選択画像４０１と比較して、ボタン画像４１２の表示態様が異なる。それ以外は、選択画像４０１と同様なので詳細な説明は繰り返さない。
【００５４】
図６のボタン画像４１２は、選択されている状態を示す。なお、選択状態のボタン画像は、表示部３１０が表示するボタン画像を変更するための処理が行なわれても、選択状態は解除されない。この場合、再度、選択状態のボタン画像を表示させるための処理が行なわれると、表示部３１０には、選択状態のボタン画像（例えば、図６のボタン画像４１２）が表示される。
【００５５】
再び、図５を参照して、ステップＳ１１３では、制御部１１０が、選択決定操作があるか否かを判定する。ここで、選択決定操作は、選択状態のボタン画像を押下処理するためのインターフェース操作Ｍである。ステップＳ１１３において、ＹＥＳならば、処理はステップＳ１１４に移行する。一方、ステップＳ１１３において、ＮＯならば、再度、ステップＳ１１３の処理が行なわれる。ここで、表示部３１０に選択画像４０２が表示されているときに、選択状態のボタン画像４１２を押下処理するための選択決定操作があったとする。
【００５６】
ステップＳ１１４では、実行処理が行なわれる。実行処理では、制御部１１０が、選択決定操作により指定されたボタン画像に対応づけられている所定の処理を実行する。
【００５７】
ここで、選択決定操作により指定されたボタン画像は、選択状態のボタン画像４１２であるとする。また、ボタン画像４１２に対応づけられている所定の処理は、前述のプレビュー処理であるとする。この場合、制御部１１０は、プレビュー処理を行なう。
【００５８】
プレビュー処理では、制御部１１０が、ボタン画像４１２に配置される縮小画像を拡大した画像（以下、拡大画像という）を生成する。そして、制御部１１０は、拡大画像を、表示部３１０に表示させるための処理を行なう。拡大画像は、一例として、以下のプレビュー画像５０１に配置された拡大画像５１１である。
【００５９】
図７は、一例としてのプレビュー画像５０１を示す図である。プレビュー画像５０１には、拡大画像５１１が配置される。
【００６０】
（操作対応処理の他の例）
次に、操作対応処理の他の例について説明する。ここで、画像形成装置１００の表示部３１０は、以下の選択画像６０１を表示しているとする。
【００６１】
図８は、一例としての選択画像６０１を示す図である。図８に示されるように、選択画像６０１には、複数のボタン画像が配置される。複数のボタン画像の一部は、ボタン画像６１１，６１２，６１３，６１４である。
【００６２】
選択画像６０１に配置される複数のボタン画像の各々には、原稿の宛先が対応づけられる。当該原稿の宛先は、原稿をファクシミリ送信する場合における原稿の送信先である。また、選択画像６０１に配置される複数のボタン画像の各々には、対応づけられた宛先の名称が示される。
【００６３】
また、選択画像６０１に配置される複数のボタン画像の各々には、変更処理が対応づけられているとする。変更処理は、複数のボタン画像の各々に対応づけられる原稿の宛先を変更するための画像（以下、宛先変更画像という）を表示部３１０に表示させるための処理である。
【００６４】
次に、図５の操作対応処理が行なわれる場合の処理について説明する。ここで、ボタン画像６１４を押下処理するための選択操作があったとする。この場合、ステップＳ１１１で、ＹＥＳと判定され、ステップＳ１１２の処理が行なわれる。
【００６５】
ステップＳ１１２の処理により、ボタン画像６１４の状態は、図６のボタン画像４１２と同様に、選択状態に設定される。
【００６６】
その後、選択状態のボタン画像６１４を押下処理するための選択決定操作があったとする。この場合、ステップＳ１１３で、ＹＥＳと判定され、ステップＳ１１４の処理が行なわれる。
【００６７】
ステップＳ１１４の処理により、ボタン画像６１４に対応づけられている変更処理が、制御部１１０により実行される。
【００６８】
変更処理では、制御部１１０が、前述した宛先変更画像を生成する。そして、制御部１１０は、宛先変更画像を、表示部３１０に表示させるための処理を行なう。
【００６９】
以上説明したように、本実施の形態では、所定の処理が対応づけられたボタン画像が、経過時間に依存することなく、２回、押下処理されることにより、当該所定の処理が実行される。そのため、急いで所定の処理が対応づけられたボタン画像を押下処理する必要がない。したがって、装置に所定の処理を実行させる場合における、利便性を向上させることができる。
【００７０】
つまり、本発明における画像形成装置１００は、ユーザの操作を支援するための操作支援装置である。
【００７１】
なお、所定の処理が対応づけられたボタン画像が２回押下処理される間に、他のボタン画像またはボタンを押下する操作が行われた場合であっても、当該所定の処理が実行されてもよい。
【００７２】
（機能ブロック図）
図９は、本発明に係る画像形成装置１００の特徴的な機能構成を示すブロック図である。つまり、図９は、図２に示されるハードウエア構成によって実現される画像形成装置１００の機能のうち、本発明に関わる機能を示すブロック図である。なお、図９には、説明のために、表示部３１０と、制御部１１０とを示す。
【００７３】
画像形成装置１００は、機能的には、受付部３０１を含む。また、制御部１１０は、機能的には、状態設定部１１１と、実行部１１２とを含む。
【００７４】
受付部３０１は、ユーザによる操作を受け付ける。すなわち、受付部３０１は、図２における、タッチパネル機能を有する表示部３１０と、入力部３２０とに対応する。
【００７５】
表示部３１０は、受付部３０１が受け付ける操作により指定可能な表示要素を表示する。
【００７６】
状態設定部１１１は、表示要素を指定するための操作を受付部３０１が受け付けた場合、表示要素の状態を、該表示要素が選択された状態である選択状態に設定する。
【００７７】
実行部１１２は、表示要素の状態が選択状態に設定されたときからの経過時間に依存することなく、選択状態に設定された表示要素を指定するための操作を受付部３０１が受け付けた場合、表示要素に予め対応づけられた所定の処理を実行する。
【００７８】
なお、制御部１１０に含まれる、状態設定部１１１および実行部１１２の全てまたは一部は、ハードウエアで構成されてもよい。また、状態設定部１１１および実行部１１２の全てまたは一部は、制御部１１０により実行されるプログラムのモジュールであってもよい。
【００７９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００８０】
本発明は、装置に所定の処理を実行させる場合において、ユーザの利便性を向上させる操作支援装置として、利用することができる。
【図面の簡単な説明】
【００８１】
【図１】本実施の形態におけるネットワークシステムの構成を示す図である。
【図２】画像形成装置内のハードウエア構成を示したブロック図である。
【図３】操作パネル部の外観を示す図である。
【図４】一例としての選択画像を示す図である。
【図５】操作対応処理のフローチャートである。
【図６】一例としての選択画像を示す図である。
【図７】一例としてのプレビュー画像を示す図である。
【図８】一例としての選択画像を示す図である。
【図９】本発明に係る画像形成装置の特徴的な機能構成を示すブロック図である。
【符号の説明】
【００８２】
１００  画像形成装置
１１０  制御部
１２２  記憶部
１５０  スキャナ部
１６０  印刷部
１７０  通信部
３００  操作パネル部
１０００  ネットワークシステム
【図１】
2010141742.tif 000003
【図２】
2010141742.tif 000004
【図３】
2010141742.tif 000005
【図４】
2010141742.tif 000006
【図５】
2010141742.tif 000007
【図６】
2010141742.tif 000008
【図７】
2010141742.tif 000009
【図８】
2010141742.tif 000010
【図９】
2010141742.tif 000011